(57)【要約】【課題】  光を出射するタイミングを容易に調整できるようにした光出射信号出力装置を提供する。【解決手段】  入射した光を共振により走査する光走査部４に光を出力する光出射部３に対して、光を出射するタイミングを指示する光出射信号Ｓを出力する光出射信号出力装置２において、所定周期で出力されるマスタクロックを分周する分周器１４と、複数の遅延時間の内から１つを設定する遅延時間設定部１１と、前記分周器１４の分周結果と前記遅延時間設定部１１により設定された遅延時間に基づいて、前記光出射部３に光出射信号Ｓを出力する信号出力部１２とを備えたことを特徴とするものである。【選択図】    図１
2005308865.tif 000002
【特許請求の範囲】
【請求項１】
入射した光を共振により走査する光走査部に光を出力する光出射部に対して、光を出射するタイミングを指示する光出射信号を出力する光出射信号出力装置において、
所定周期で出力されるマスタクロックを分周する分周器と、
複数の遅延時間の内から１つを設定する遅延時間設定部と、
前記分周器の分周結果と前記設定部により設定された遅延時間に基づいて、前記光出射部に光出射信号を出力する信号出力部と
を備えたことを特徴とする光出射信号出力装置。
【請求項２】
前記分周器に分周比を設定する分周比設定回路を備え、
前記分周比設定回路に設定された分周比によって前記分周器が分周したタイミングから、前記遅延時間設定部に設定された遅延時間経過後に、前記信号出力部は前記光出射部に光出射信号を出力する
ことを特徴とする請求項１に記載の光出射信号出力装置。
【請求項３】
前記分周比設定回路は、光の走査方向に対して、走査された光の所望する照射位置を超えないタイミングとなる分周比を設定することを特徴とする請求項２に記載の光出射信号出力装置。
【請求項４】
前記遅延時間設定部は、複数の遅延時間の内からランダムに１つを設定することを特徴とする請求項１乃至請求項３の何れか１項に記載の光出射信号出力装置。
【請求項５】
前記遅延時間設定部は、光の走査方向に対して、走査された光の所望する照射位置に一番近いタイミングとなる遅延時間を設定することを特徴とする請求項１乃至請求項３の何れか１項に記載の光出射信号出力装置。
【請求項６】
前記遅延時間設定部は、前記遅延時間として、前記分周比設定回路に設定された分周比を前記分周器が分周したタイミングから遅延されないタイミングを設定可能であることを特徴する請求項２乃至請求項５の何れか１項に記載の光出射信号出力装置。
【請求項７】
前記遅延時間設定部は、前記マスタクロックの周期を整数分の１した時間づつ互いに異なっている遅延時間を設定可能であることを特徴とする請求項１乃至請求項６の何れか１項に記載の光出射信号出力装置。
【請求項８】
前記整数は、３，４，５の何れかであることを特徴とする請求項７に記載の光出射信号出力装置。
【請求項９】
光を出力する光出射部と、
入射した光を共振により走査する光走査部と、
請求項１乃至請求項８の何れかに記載の光出射信号出力装置と、
前記光走査部に走査された光を投影するための投影部と
を備えたことを特徴とする画像表示装置。
【請求項１０】
前記光走査部は、揺動により入射した光を走査することを特徴とする請求項９に記載の画像表示装置。
【発明の詳細な説明】
【技術分野】
【０００１】
本発明は、画像表示装置等に用いられて、光を出射するタイミングを指示する光出射信号出力装置に関する。
【背景技術】
【０００２】
図７は、従来の画像表示装置のブロック図を示す。該画像表示装置１００は、光ビーム１０１を出力する光出射部１０２と、光出射部１０２から出力された光ビーム１０１を走査する光走査部１０３とを備え、該光走査部１０３が光ビーム１０１を観察者の眼１０４の網膜やスクリーン等に走査することにより、眼１０４の網膜やスクリーン等に画像を表示するものである。
【０００３】
前記光出射部１０２は、映像信号供給回路１０５と、光源ドライブ回路１０６と、光源１０７とを備えている。映像信号供給回路１０５から供給される映像信号に基づき、光源ドライブ回路１０６が光源１０７を駆動して、該映像信号によって変調された光ビーム１０１が出力されるものである。
【０００４】
又、前記光走査部１０３は水平走査部１０８と垂直走査部１０９とを備えている。水平走査部１０８はドライブ回路１１１によって駆動されて、光を水平方向に走査するものである。又、垂直走査部１０９はドライブ回路１１３によって駆動されて、光を垂直方向に走査するものである。映像信号供給回路１０５から供給される水平同期信号Ｈに基づき、ドライブ回路１１１が水平走査部１０８としてのマイクロミラーを駆動して、光ビーム１０１を水平方向へ走査する。又、映像信号供給回路１０５から供給される垂直同期信号Ｖに基づき、ドライブ回路１１３が垂直走査部１０９としてのガルバノミラーを駆動して、光ビーム１０１を垂直方向へ走査する。
【発明の開示】
【発明が解決しようとする課題】
【０００５】
ところで、前記水平走査部１０８として、特許文献１に示すように、いわゆる、共振型水平走査部が用いられる場合がある。この共振型水平走査部１０８は、図８に示すように、マイクロミラー１０８を二つの支持部材１１４,１１４で支持し、この支持部材１１４,１１４の捩れによりマイクロミラー１０８を矢示α―β方向へ揺動させるようにした構造である。つまり、マイクロミラー１０８と支持部材１１４,１１４とが機械共振系を形成することで、マイクロミラー１０８の揺動が継続する構造である。
【０００６】
そして、マイクロミラー１０８が前述のように揺動することにより、マイクロミラー１０８の走査角度に応じた方向へ光ビーム１０１を反射して走査することにより、スクリーン等に画像を表示するものである。
【０００７】
この共振型水平走査部１０８は高速動作が可能であるという利点を有する反面、光ビーム１０１の走査角速度は定速度ではなく、図９に示すように、走査角度は正弦波形状に変化する。このため、画像を形成する画素データを一定時間間隔で供給し、光を変調すると、表示画像が歪んでしまうという問題があった。
【０００８】
一方、特許文献２には、走査部の走査角度に応じたタイミングで光ビームを照射することを意図した発明が提案されている。特許文献２に記載の発明においては、画素表示間隔と比較して十分短周期（高周波数）のマスタクロックを可変分周して光出射タイミングを決定するものである。
【０００９】
しかし、特許文献２に記載の方法で、画質の劣化を無くすためには、マスタクロックの周波数が極めて高くなり高価な回路部品や実装技術が必要となるという問題があった。
【特許文献１】特開２００３−５７５８６
【特許文献２】特開昭５３−１１７４４０号公報
【００１０】
本発明は、前記従来技術の問題に鑑みてなされたもので、その目的は、画像劣化を目立たなくすることができる上に、安価に提供できるようにした光出射信号出力装置を提供するにある。
【課題を解決するための手段】
【００１１】
請求項１に記載の発明は、入射した光を共振により走査する光走査部に光を出力する光出射部に対して、光を出射するタイミングを指示する光出射信号を出力する光出射信号出力装置において、
所定周期で出力されるマスタクロックを分周する分周器と、
複数の遅延時間の内から１つを設定する遅延時間設定部と、
前記分周器の分周結果と前記設定部により設定された遅延時間に基づいて、前記光出射部に光出射信号を出力する信号出力部と
を備えたことを特徴とするものである。
【００１２】
請求項２に記載の発明は、請求項１に記載の光出射信号出力装置において、前記分周器に分周比を設定する分周比設定回路を備え、
前記分周比設定回路に設定された分周比を前記分周器が分周したタイミングから、前記遅延時間設定部に設定された遅延時間経過後に、前記信号出力部は前記光出射部に光出射信号を出力することを特徴とするものである。
【００１３】
請求項３に記載の発明は、請求項２に記載の光出射信号出力装置において、前記分周比設定回路は、光の走査方向に対して、走査された光の所望する照射位置を超えないタイミングとなる分周比を設定することを特徴とするものである。
【００１４】
請求項４に記載の発明は、請求項１乃至請求項３の何れか１項に記載の光出射信号出力装置において、前記遅延時間設定部は、複数の遅延時間の内からランダムに１つを設定することを特徴とするものである。
【００１５】
請求項５に記載の発明は、請求項１乃至請求項３の何れか１項に記載の光出射信号出力装置において、前記遅延時間設定部は、光の走査方向に対して、走査された光の所望する照射位置に一番近いタイミングとなる遅延時間を設定することを特徴とするものである。
【００１６】
請求項６に記載の発明は、請求項２乃至請求項５の何れか１項に記載の光出射信号出力装置において、前記遅延時間設定部は、前記遅延時間として、前記分周比設定回路に設定された分周比を前記分周器が分周したタイミングから遅延されないタイミングを設定可能であることを特徴するものである。
【００１７】
請求項７に記載の発明は、請求項１乃至請求項６の何れか１項に記載の光出射信号出力装置において、前記遅延時間設定部は、前記マスタクロックの周期を整数分の１した時間づつ互いに異なっている遅延時間を設定可能であることを特徴とするものである。
【００１８】
請求項８に記載の発明は、請求項７に記載の光出射信号出力装置において、前記整数は、３，４，５の何れかであることを特徴とするものである。
【００１９】
請求項９に記載の発明は、光を出力する光出射部と、入射した光を共振により走査する光走査部と、請求項１乃至請求項８の何れかに記載の光出射信号出力装置と、前記光走査部に走査された光を投影するための投影部とを備えた画像表示装置である。
【００２０】
請求項１０に記載の発明は、請求項９に記載の画像表示装置において、前記光走査部は、揺動により入射した光を走査することを特徴とするものである。
【発明の効果】
【００２１】
請求項１に記載の発明によれば、マスタクロックを分周した信号に選択的に遅延を与えて光出射信号が生成されるので、光出射タイミングが補正され、マスタクロックの周波数を極端に大きくしなくても画質の劣化を抑圧することができる。
【００２２】
請求項２に記載の発明によれば、マスタクロックを分周した信号に遅延を与える遅延時間を調整することにより、光出射部が光を出射するタイミングを制御することができる。
【００２３】
請求項３に記載の発明によれば、所望する照射位置よりも遅れた位置で、光を出力させないようにすることができる。
【００２４】
請求項４に記載の発明によれば、光出射タミングの誤差に、規則性や周期性が無くなり、画質劣化の抑圧効果がより顕著になる。
【００２５】
請求項５に記載の発明によれば、所望する照射位置に一番近いタイミングにおいて、光出射部が光を出射することができ、あたかも、マスタクロックの周波数を大きくした場合と同様に画質劣化を抑圧することができる。
【００２６】
請求項６に記載の発明によれば、マスタクロックを分周したタイミングにおいて、出射部は光を出射することができる。
【００２７】
請求項７に記載の発明によれば、マスタクロックの周期を整数分の１することにより、設定される遅延時間が分散し、画質劣化抑圧効果が増大する。
【００２８】
請求項８に記載の発明によれば、3，4,５の内から任意の整数を選択することにより、遅延時間を任意に設定可能である。
【００２９】
請求項９に記載の発明によれば、画像表示装置において、光出射部が光を出射するタイミングを制御することができる。
【００３０】
請求項１０に記載の発明によれば、入射した光を揺動により走査する光走査部を備えた画像表示装置において、光出射部が光を出射するタイミングを制御することができる。
【発明を実施するための最良の形態】
【００３１】
図１は、画像表示装置の第１実施形態のブロック図を示す。この画像表示装置１は、光出射信号出力装置２を備えた画像表示装置である。
【００３２】
この画像表示装置１は、光を出力する光出射部３と、該光出射部３から出力された光を入射し、該光を走査する光走査部４と、該光走査部４によって走査された光を観察者の眼１０４の網膜やスクリーン等に投影する投影部５とを備える上に、前記光出射信号出力装置２を備えている。
【００３３】
前記光走査部４は、水平走査部６と、垂直走査部７とを備えている。該水平走査部６はドライブ回路８によって駆動されて、前記光出射部３から出力された光を水平方向へ走査するものである。又、垂直走査部７はドライブ回路９によって駆動されて、前記光出射部３から出力された光を垂直方向へ走査するものである。ドライブ回路８は、映像信号供給回路１８から入力する水平同期信号Ｈに基づき、水平走査部６を制御するものである。又、ドライブ回路９は、映像信号供給回路１８から入力する垂直同期信号Ｖに基づき、垂直走査部７を制御するものである。
【００３４】
前記水平走査部６は共振型であって、このため、水平走査部６の走査角は、従来技術の共振型の水平走査部１０８と同様に、正弦波形状に変化する特質を有するものである。前記水平走査部６は揺動するタイプのマイクロミラー等によって構成することができる。又、前記垂直走査部７は揺動するタイプのガルバノミラー等によって構成することができる。
【００３５】
前記光出射部３は少なくとも光を出力する機能を有する光学機器であるが、光を映像信号によって変調することにより、該光を画像光Ｇとして出力することができるようにしても良い。以下の実施形態においては、前記光出射部３は前記光として画像光Ｇを出力するものとして説明する。光出射部３の具体的構成については後述する。
【００３６】
前記光出射信号出力装置２は、前記光出射部３に対して走査角が所定量増加する毎のタイミングで光出射信号Ｓを出力する機器である。該光出射信号Ｓは、前記光出射部３が前記画像光Ｇを前記光走査部４に対して出射するタイミングを前記光出射部３に対して指示する信号である。即ち、前記光出射信号出力装置２は、前記光出射部３が前記画像光Ｇを出射するタイミングを制御することにより、画像劣化（主に、画像の歪）を目立たなくするように、画像光Ｇを照射できるようにするものである。
【００３７】
図２に基づき、光出射信号出力装置２が出射する光出射信号Ｓの出力タイミングを説明する。図２（イ）に示すように、光出射信号出力装置２は、マスタクロックＣを分周して得た基準タイミングＫ１,Ｋ２,Ｋ３,Ｋ４,・・・から遅延時間Ｔ１, Ｔ２, Ｔ３, Ｔ４の内の１つの遅延時間を経過した時点で前記光出射信号Ｓを出力するものである。
【００３８】
前記基準タイミングＫ１,Ｋ２,Ｋ３,Ｋ４,・・・は、図２（ロ）に示すように、一定の周期で出力されるマスタクロックＣを分周することにより特定されるものであるが、同図２（ロ）に示すように、分周比を４，Ｍ，Ｎに変更することにより、基準タイミングＫ１,Ｋ２,Ｋ３,Ｋ４,・・・の間隔は異なった値に設定される。当該分周比の変更により、光出射信号Ｓが出力されるタイミングにおいて、前述の水平走査部６の走査角度が略等間隔になるように設定されるものである。
【００３９】
即ち、図３に示すように、共振型の水平走査部６の走査角度は、正弦波形状に変化するものであって、該水平走査部６の走査角速度は、正弦波の区間ａ１においては高速であるが、区間ａ２においては低速になる。尚、同図３は縦軸に走査角度を取り、横軸は時間を取っているものである。このように、水平走査部６の走査角速度は、区間ａ１においては高速のため、光出射信号Ｓの出現頻度を高くすることを目的として、図２に示す基準タイミングＫ１,Ｋ２,Ｋ３,Ｋ４,・・・の出現頻度を高くするように、前記マスタクロックＣの分周比を小さく設定する。一方、図３に示す区間ａ２においては走査角速度が低速のため、光出射信号Ｓの出現頻度を小さくすることを目的として、基準タイミングＫ１,Ｋ２,Ｋ３,Ｋ４,・・・の出現頻度を低くするように、前記マスタクロックＣの分周比を大きく設定する。このように、マスタクロックＣの分周比を変更することにより、基準タイミングに対応する前記水平走査部６の走査角度が略等間隔になるように調整される。但し、前記基準タイミングＫ１,Ｋ２,Ｋ３,Ｋ４,・・・は、光出射信号Ｓの出力タイミング、即ち、画像光Ｇの出力タイミングが、走査方向へ向けて所望の照射位置を超えないタイミングとなるように、マスタクロックＣの分周比の大きさを制限しなければならない。
【００４０】
前記遅延時間としては、予め用意されている複数の遅延時間Ｔ１, Ｔ２, Ｔ３, Ｔ４の内から任意の１つの遅延時間が設定されるものである。
【００４１】
前記遅延時間Ｔ１,Ｔ２,Ｔ３,Ｔ４は互いに、前記マスタクロックの周期ｔを整数（ｎ）で除算した値、即ち、ｔ／ｎづつ異なっているものである。該整数（ｎ）として遅延時間の種類数４を選択した場合には、遅延時間Ｔ１を０とし、遅延時間Ｔ２を１ｔ／４とし、遅延時間Ｔ３を２ｔ／４とし、遅延時間Ｔ４を３ｔ／４とすることができる。ここで、遅延時間Ｔ１が０であるとは、光出射信号Ｓの出力タイミングが、前記基準タイミングＫ１,Ｋ２,Ｋ３,Ｋ４から遅延せずに、該基準タイミングＫ１,Ｋ２,Ｋ３,Ｋ４に合致することを意味するものである。
【００４２】
次に、図１に戻って、前記光出射信号出力装置２の構成について説明する。前記光出射信号出力装置２は、基準タイミング出力部１０と、遅延時間設定部１１と、信号出力部１２とを備えて、前記光出射信号Ｓを出力するものである。
【００４３】
前記基準タイミング出力部１０は、マスタクロック発振器１３と、分周器１４と、分周比設定回路１５とを備えている。マスタクロック発振器１３は任意の周波数のマスタクロックＣを発生する機器で、例えば、水晶振動子で構成することができる。分周器１４はマスタクロック発振器１３で発生したマスタクロックＣの周波数を分周する機器である。又、分周比設定回路１５は分周器１４の分周比を任意に設定する機器である。
【００４４】
前記分周器１４は、前記マスタクロック発振器１３から出力されたマスタクロックＣを分周比設定回路１５に設定された分周比で分周して前記基準タイミングＫ１,Ｋ２,Ｋ３,Ｋ４,・・・を発生するものである。前記分周比設定回路１５には、前述のように、水平走査部６の走査角度ができるだけ等間隔となるような分周比の系列が記憶されている。映像信号供給回路１８からの水平同期信号Ｈに同期して系列先頭値を供給した後、基準タイミングの出力毎に系列中の次の分周比を分周器１４に供給することで、基準タイミングＫ１，Ｋ２，Ｋ３，Ｋ４が生成される。
【００４５】
前記信号出力部１２は、図２（イ）に示すように、基準タイミングＫ１,Ｋ２,Ｋ３,Ｋ４,・・・から遅延時間Ｔ１, Ｔ２, Ｔ３,Ｔ４の内の何れか１つの遅延時間を経過したタイミングで光出射信号Ｓを出射するものである。信号出力部１２は、遅延回路１６と遅延選択回路１７を備えた構成とすることができる。遅延回路１６は、前記基準タイミングＫ１,Ｋ２,Ｋ３,Ｋ４,・・・から前記遅延時間Ｔ１, Ｔ２, Ｔ３,Ｔ４をそれぞれ経過したタイミングで４つの光出射信号Ｓを出力するものである。前記遅延選択回路１７は、当該４つの光出射信号Ｓの内から１つの光出射信号Ｓを選択して前述の光出射部３に出力するものである。遅延選択回路１７は、前記遅延時間設定部１１から入力した選択信号Ｒに基づき、前記４つの光出射信号Ｓの内から１つの光出射信号Ｓを選択して前述の光出射部３に出力するものである。
【００４６】
前記遅延時間設定部１１は、擬似ランダムパルス発生器によって構成することができる。遅延時間設定部１１は、前記４つの光出射信号Ｓの内から１つの光出射信号Ｓをアトランダムに選択する前記選択信号Ｒを出力するものである。この場合、遅延選択回路１７は４つの光出射信号Ｓを４つの端子Ｐ１，Ｐ２，Ｐ３，Ｐ４からそれぞれ出力可能に構成し、選択信号に基づいて４つの端子Ｐ１，Ｐ２，Ｐ３，Ｐ４の内から任意の１つの端子を選択することにより、任意の１つの光出射信号Ｓを選択するように構成することができる。図２（イ）においては、基準タイミングＫ１において遅延時間Ｔ１が設定され、基準タイミングＫ２において遅延時間Ｔ２が設定され、基準タイミングＫ３において遅延時間Ｔ４が設定され、基準タイミングＫ４において遅延時間Ｔ３が設定された状態を示す。
【００４７】
図１に戻って、前記光出射部３の具体的構成について説明する。光出射部３は、映像信号供給回路１８と、光源ドライブ回路１９と、光源２０とを備えている。映像信号供給回路１８から供給される映像信号に基づき、光源ドライブ回路１９が光源２０を駆動して、該映像信号によって変調された画像光Ｇが出力されるものである。
【００４８】
次に、このように構成された画像表示装置１の作用について説明する。光出射信号Ｓを入力した光出射部３の映像信号供給回路１８は光源ドライブ回路１９を駆動することにより、光源２０から画像光Ｇを光走査部４に出力する。又、前記映像信号供給回路１８はドライブ回路８、９を駆動することにより、画像光Ｇは、光走査部４の水平走査部６において水平走査され、垂直走査部７において垂直走査されることにより、観察者の眼１０４の網膜等に画像光Ｇが照射される。
【００４９】
又、前記光出射部３の映像信号供給回路１８は前述のように、前記光源ドライブ回路１９、及びドライブ回路８，９を駆動する一方、分周比設定回路１５に水平同期信号を出力する。水平同期信号を入力した分周比設定回路１５は、前記分周比系列の先頭値を分周器１４の分周比として設定する。当該分周比として、４が設定されたとする。このように、分周比として４が設定されることにより、図２に示す基準タイミングＫ１が決定する。
【００５０】
一方、遅延時間設定部１１からの選択信号Ｒに基づき、遅延選択回路１７において端子Ｐ１が選択されたとする。この場合、信号出力部１２は、図２（イ）に示すように、前記基準タイミングＫ１から遅延時間Ｔ１を経過した時点で、光出射信号Ｓを光出射部３に出力する。ここで、遅延時間Ｔ１は０であるため、信号出力部１２は、基準タイミングＫ１に同期して光出射信号Ｓを光出射部３に出力することになる。該光出射部３は、前記基準タイミングＫ１に同期したタイミングで、画像光Ｇを光走査部４に出力する。該光走査部４は前述と同様に、観察者の眼１０４の網膜等に画像光Ｇを照射する。次に、図２に示すように、同様にして、基準タイミングＫ２から遅延時間Ｔ２を経過したタイミングで、信号出力部１２は光出射信号Ｓを出力する。
【００５１】
以下同様にして、分周器１４が、設定された分周比でマスタクロックＣを分周することにより基準タイミングＫ３，Ｋ４が発生され、該基準タイミングＫ３，Ｋ４から遅延時間Ｔ４,Ｔ３が経過した時点で信号出力部１２は光出射部３に対して光出射信号Ｓを出力するものである。そして、光出射部３は光出射信号Ｓを入力したタイミングで光走査部４に対して画像光Ｇを出力する。光走査部４は、観察者の眼１０４の網膜等に画像光Ｇを走査して画像を表示する。
【００５２】
以上説明した実施形態においては、基準タイミング信号を生成する分周比を適切に設定し、且つ、遅延時間Ｔ１，Ｔ２，Ｔ３，Ｔ４の選択をアトランダムに設定して光出射信号Ｓが出力するタイミングを制御することができる。その結果、走査角度が正弦状であるにも拘わらず、光出射タイミングに対応する走査角度は略等間隔となり、且つ、タイミング誤差の周期性・規則性が除去されるため、歪等の画質劣化が観察されにくい、良好な画像を表示することができる。
【００５３】
図４は、出射部３から出力された画像光Ｇが、スクリーン等に投影された状態を示す。遅延時間が、遅延時間設定部１１においてアトランダムに設定される場合、光出射部３は、前述のように、基準タイミングＫ１,Ｋ２,Ｋ３,Ｋ４,・・・からアトランダムに設定された遅延時間Ｔ１,Ｔ２,Ｔ３,Ｔ４で出射された光出射信号Ｓに同期しているため、同図５中、実線で示すように、画像光Ｇが好適な位置に照射される場合もある一方、図中、点線で示すように、画像光Ｇが好適な位置（図中、実線で示す）からズレた位置に照査される場合もある。このズレは、最大、マスタクロックＣの周期に対応する量となる。ここで、もし、遅延を与えないと、図中、一点鎖線で示すように、前記ズレは各水平走査毎に繰り返しとなり、画像劣化パターンとして視認が容易となる。マスタクロックＣの周期よりも短い遅延時間Ｔ１,Ｔ２,Ｔ３,Ｔ４をアトランダムに加えると、前記ズレは周期性や規則性をもって出現せず、従って、図中、一点鎖線で示すように、画像光Ｇが好適な位置からズレて照射される位置は線状に繋がって出現することはなく、肉眼での目視によっては目立たないものとなる。
【００５４】
図５は第２実施形態を示す。この第２実施形態の特徴は、分周比・遅延時間設定部２１を設けた点にある。該分周比・遅延時間設定部２１は分周比設定回路１５と、遅延時間設定部３１と、メモリ２２と、これら分周比設定回路１５と、遅延時間設定部３１と、メモリ２２を制御する制御部２３とを備えている。前記分周比設定回路１５は第一実施形態の分周比設定回路１５と同様の構成である。図６に示すように、光出射信号Ｓが理想タイミングに最も近くなるような遅延選択信号の系列が前記メモリ２２に記憶されている。
【００５５】
分周比・遅延時間設定部２１に対して、映像信号供給回路１８から水平同期信号Ｈが入力すると、分周比設定回路１５は、分周比系列の先頭値を分周器１４に設定する一方、遅延時間設定部３１は、遅延選択信号系列の先頭値を遅延選択回路１７に設定する。以後、基準タイミング信号の出力毎に、分周比系列・遅延選択信号系列の値を分周器１４・遅延選択回路１７に順次設定することで、光出射信号Ｓが生成できる。このようにして生成された光出射信号Ｓの（対応する走査角度が完全に等間隔となる）理想タイミングに対する誤差は、時間にして最大でもマスタクロック周期の１／４である。即ち、光出射タイミング精度としては、マスタクロック周波数を４倍した単純分周法と同等である。
【００５６】
尚、以上の第一、第二実施形態においては、遅延時間Ｔ１,Ｔ２,Ｔ３,Ｔ４は４種であり、マスタクロックＣの周期ｔを４で除算した値だけ互いに異ならせたが、該遅延時間Ｔ１,Ｔ２,Ｔ３,Ｔ４は、マスタクロックＣの周期ｔを他の整数で除算した値だけ互いに異ならせるようにしてもよく、例えば、３又は５である。それに応じて、遅延時間の種類を増減してもよい。又、以上の実施形態においては、水平走査部６は画像光Ｇを共振によって走査する形式のものについて説明したが、該水平走査部６は揺動によって画像光Ｇを走査するものであればよい。
【図面の簡単な説明】
【００５７】
【図１】図１は光出射信号出力装置を備えた画像表示装置のブロック図である。（第１実施形態）
【図２】図２は信号の出力タイミングである。（第１実施形態）
【図３】図３は共振型走査部の走査角度を示す図である。（第１実施形態）
【図４】図４は画像光の照射状態を示す図である。（第１実施形態）
【図５】図５は光出射信号出力装置を備えた画像表示装置のブロック図である。（第２実施形態）
【図６】図６は共振型走査部の走査角度の時間変化を示す図である。（第２実施形態）
【図７】図７は画像表示装置のブロック図である。（従来技術）
【図８】図８は共振型走査部の斜視図である。（従来技術）
【図９】図９は共振型走査部の走査角度の時間変化を示す図である。（従来技術）
【符号の説明】
【００５８】
１  画像表示装置
２  光出射信号出力装置
３  光出射部
４  光走査部
６  水平走査部
７  垂直走査部
１１  遅延時間設定部
１２  信号出力部
１３  マスタクロック発振器
１４  分周器
１５  分周比設定回路
Ｃ  マスタクロック
Ｓ  光出射信号
Ｋ１，Ｋ２，Ｋ３，Ｋ４  基準タイミング
Ｔ１,Ｔ２,Ｔ３,Ｔ４  遅延時間
Ｒ  選択信号
Ｖ  水平同期信号
Ｈ  垂直同期信号
【図１】
2005308865.tif 000003
【図２】
2005308865.tif 000004
【図３】
2005308865.tif 000005
【図４】
2005308865.tif 000006
【図５】
2005308865.tif 000007
【図６】
2005308865.tif 000008
【図７】
2005308865.tif 000009
【図８】
2005308865.tif 000010
【図９】
2005308865.tif 000011